(57)【要約】【課題】フォーカス方向の小型化を図る上で有利な光ピックアップを提供する。【解決手段】光ピックアップ１０４は、可動体１０と、支持ブロック１２と、可動体１０と支持ブロック１２とを連結する複数のサスペンションワイヤ１４などを備えている。可動体１０は、対物レンズ７を保持するレンズホルダ２０と、フォーカスコイル１６およびトラッキングコイル１８を含んで構成されている。フォーカスコイル１６およびトラッキングコイル１８は、それらの絶縁基板１６０２、１８０４がそれらの厚さ方向に重ね合わされた状態で熱圧着などによって接合されることで一体的に構成され、レンズホルダ２０に、それらの厚さ方向がフォーカス方向Ｚに向けられ、かつ、それらの第１コイル部１６０４の一部と第２コイル部１８０４の一部が突出するように取着されている。【選択図】        図３
2005346878.tif 000002
【特許請求の範囲】
【請求項１】
対物レンズを保持する可動体と、
前記可動体を前記フォーカス方向および前記タンジェンシャル方向に直交するトラッキング方向と前記フォーカス方向に移動可能に支持する支持機構と、
電流が供給されることで前記可動体を前記フォーカス方向に移動させるフォーカスコイルと、
電流が供給されることで前記可動体を前記トラッキング方向に移動させるトラッキングコイルとを備える光ピックアップであって、
リジッドな絶縁基板と、この絶縁基板に導電材がコイル状に形成され前記フォーカスコイルを構成する第１コイル部とからなる第１プリント基板が設けられ、
リジッドな絶縁基板と、この絶縁基板に導電材がコイル状に形成され前記トラッキングコイルを構成する第２コイル部とからなる第２プリント基板が設けられ、
前記可動体は、前記対物レンズを保持するレンズホルダと、前記第１プリント基板および第２プリント基板を含んで構成され、
前記第１プリント基板および第２プリント基板の各絶縁基板は前記レンズホルダに、それらの厚さ方向が前記フォーカス方向に向けられ、かつ、それらの第１コイル部と前記第２コイル部の一部がそれぞれ突出するように取着されている、
ことを特徴とする光ピックアップ。
【請求項２】
前記第１プリント基板の絶縁基板と第２プリント基板の絶縁基板は重ね合わされて前記レンズホルダに取着されていることを特徴とする請求項１記載の光ピックアップ。
【請求項３】
前記第１コイル部と前記第２コイル部の前記突出する部分は、前記対物レンズを挟んだ２箇所にそれぞれ設けられていることを特徴とする請求項１記載の光ピックアップ。
【請求項４】
前記第１コイル部の前記突出する部分は、フォーカス用ヨーク片とフォーカス用マグネットの間に配置され、前記第２コイル部の前記突出する部分は、トラッキング用ヨーク片とトラッキング用マグネットとの間に配置されていることを特徴とする請求項１記載の光ピックアップ。
【請求項５】
前記対物レンズに光が入射される方向における前記可動部の端部に、前記対物レンズを通る前記光の波面を補正する収差補正素子が取着されていることを特徴とする請求項１記載の光ピックアップ。
【請求項６】
前記対物レンズの光軸が通る前記第１プリント基板および第２プリント基板の絶縁基板箇所に開口が形成され、前記収差補正素子は前記開口内に配置されていることを特徴とする請求項５記載の光ピックアップ。
【請求項７】
前記支持機構は、前記対物レンズの光軸方向であるフォーカス方向と直交するタンジェンシャル方向に前記可動体と間隔をおいて配設された支持ブロックと、前記可動体と前記支持ブロックとを連結する複数のサスペンションワイヤとで構成されていることを特徴とすることを請求項１記載の光ピックアップ。
【発明の詳細な説明】
【技術分野】
【０００１】
本発明は、光ディスクに信号の記録や再生を行う光ディスク装置に用いられる光ピックアップに関する。
【背景技術】
【０００２】
ＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｋ）などの光ディスクに対して信号の記録あるいは再生あるいは記録および再生を行う光ピックアップがある。
このような光ピックアップは、光スポットを光ディスクの記録面のトラック上に合焦点するため、対物レンズを保持するを光ディスクの厚さ方向であるフォーカス方向に移動させるフォーカスアクチュエータと、光スポットを光ディスクのトラックに追従させるため、対物レンズを光ディスクの半径方向であるトラッキング方向に移動させるトラッキングアクチュエータとを備えている。
そして、フォーカスアクチュエータは、電流が供給されることで前記可動体を前記フォーカス方向に移動させるフォーカスコイルを有し、トラッキングアクチュエータは、電流が供給されることで前記可動体を前記トラッキング方向に移動させるトラッキングコイルを備えている。
そして、光ピックアップの小型化を図るために、フォーカスコイルおよびトラッキングコイルとして、リジッドな絶縁基板に導電パターンを成形したプリント基板を用いたものが提案されている（例えば特許文献１参照）。
【特許文献１】特開２００１−２２９５５５号公報
【発明の開示】
【発明が解決しようとする課題】
【０００３】
しかしながら、前記光ピックアップではプリント基板がフォーカス方向に沿って延在しているため、光ピックアップの前記フォーカス方向の寸法を縮小する上で不利があった。
一方、高い開口数を有する対物レンズを用いて、複数の記録層を有する光ディスクに対して記録および／または再生を行う光ピックアップにおいては、対物レンズの特性のばらつきや対物レンズから各記録層までの距離の違いによって生じる光学的収差を打ち消すことが要請されており、そのため、対物レンズを通る光の波面収差を補正する収差補正素子を対物レンズの光軸上に配置することが多い。
そして、光ディスク装置の小型化を図る上で、このような収差補正素子を組み込んだ光ピックアップの特にフォーカス方向の小型化を如何に実現するかが重要となってきている。
本発明はこのような事情に鑑みなされたもので、その目的はフォーカス方向の小型化を図る上で有利な光ピックアップを提供することにある。
【課題を解決するための手段】
【０００４】
上記目的を達成するために本発明は、対物レンズを保持する可動体と、前記可動体を前記フォーカス方向および前記タンジェンシャル方向に直交するトラッキング方向と前記フォーカス方向に移動可能に支持する支持機構と、電流が供給されることで前記可動体を前記フォーカス方向に移動させるフォーカスコイルと、電流が供給されることで前記可動体を前記トラッキング方向に移動させるトラッキングコイルとを備える光ピックアップであって、リジッドな絶縁基板と、この絶縁基板に導電材がコイル状に形成され前記フォーカスコイルを構成する第１コイル部とからなる第１プリント基板が設けられ、リジッドな絶縁基板と、この絶縁基板に導電材がコイル状に形成され前記トラッキングコイルを構成する第２コイル部とからなる第２プリント基板が設けられ、前記可動体は、前記対物レンズを保持するレンズホルダと、前記第１プリント基板および第２プリント基板を含んで構成され、前記第１プリント基板および第２プリント基板の各絶縁基板は前記レンズホルダに、それらの厚さ方向が前記フォーカス方向に向けられ、かつ、それらの第１コイル部と前記第２コイル部の一部がそれぞれ突出するように取着されていることを特徴とする。
【発明の効果】
【０００５】
本発明によれば、第１プリント基板および第２プリント基板の各絶縁基板はレンズホルダに、それらの厚さ方向がフォーカス方向に向けられ、かつ、それらの第１コイル部と第２コイル部の一部がそれぞれ突出するように取着されていることにより、可動部および光ピックアップがフォーカス方向に占めるスペースを最小限にすることができ、フォーカス方向の小型化を図る上で有利となる。
【発明を実施するための最良の形態】
【０００６】
本発明は、フォーカス方向の小型化を図るという目的を、フォーカスコイルおよびトラッキングコイルの各絶縁基板の厚さ方向をフォーカス方向に向けることで実現した。
【実施例１】
【０００７】
以下、本発明による光ピックアップ及び記録再生装置の実施の形態を図面に基づいて詳細に説明する。
図１は、本発明の実施例１における光ピックアップを組み込んだ光ディスク装置の構成を示すブロック図である。
【０００８】
図１において、光ディスク装置１０１は、ＣＤ−ＲやＤＶＤ±Ｒ、ＤＶＤ−ＲＡＭなどの光記録媒体としての光ディスク１０２を回転駆動する駆動手段としてのスピンドルモータ１０３と、光ピックアップ１０４と、光ピックアップ１０４をその半径方向に移動させる駆動手段としての送りモータ１０５とを備えている。ここで、スピンドルモータ１０３は、システムコントローラ１０７及びサーボ制御部１０９により所定の回転数で駆動制御される構成になっている。
また、本実施例では、光ディスク１０２は、単一の記録面１０２Ａが光ディスク１０２の厚さ方向に間隔をおいて形成された単層ディスク、および、２つ以上の記録面１０２Ａが光ディスク１０２の厚さ方向に間隔をおいて形成された多層ディスクを含む。
【０００９】
信号変復調部及びＥＣＣブロック１０８は、信号処理部１２０から出力される信号の変調、復調及びＥＣＣ（エラー訂正符号）の付加を行う。光ピックアップ１０４は、システムコントローラ１０７及びサーボ制御部１０９からの指令に従って回転する光ディスク１０２の記録面１０２Ａに対して光ビームを照射する。このような光照射により光ディスク１０２に対する光信号の記録、再生が行われる。
また、光ピックアップ１０４は、光ディスク１０２の記録面１０２Ａからの反射光ビームに基づいて、後述するような各種の光ビームを検出し、各光ビームに対応する信号を信号処理部１２０に供給できるように構成されている。
【００１０】
前記信号処理部１２０は、各光ビームに対応する検出信号に基づいてサーボ制御用信号、すなわち、フォーカスエラー信号、トラッキングエラー信号、ＲＦ信号、記録時における光ディスクの回転制御を行うために必要なＡＴＩＰ信号などを生成できるように構成されている。また、再生対象とされる記録媒体の種類に応じて、サーボ制御部１０９、信号変調及びＥＣＣブロック１０８等により、これらの信号に基づく復調及び誤り訂正処理等の所定の処理が行われる。
ここで、信号変調及びＥＣＣブロック１０８により復調された記録信号が、例えばコンピュータのデータストレージ用であれば、インタフェース１１１を介して外部コンピュータ１３０等に送出される。これにより、外部コンピュータ１３０等は光ディスク１０２の記録面１０２Ａに記録された信号を再生信号として受け取ることができるように構成されている。
【００１１】
また、信号変調及びＥＣＣブロック１０８により復調された記録信号がオーディオ・ビジュアル用であれば、Ｄ／Ａ、Ａ／Ｄ変換器１１２のＤ／Ａ変換部でデジタル／アナログ変換され、オーディオ・ビジュアル処理部１１３に供給される。そして、このオーディオ・ビジュアル処理部１１３でオーディオ・ビデオ信号処理が行われ、オーディオ・ビジュアル信号入出力部１１４を介して外部の撮像・映写機器に伝送される。
光ピックアップ１０４には送りモータ１０５が接続され、送りモータ１０５の回転によって光ピックアップ１０４が光ディスク１０２上の所定の記録トラックまで移動されるように構成されている。スピンドルモータ１０３の制御と、送りモータ１０５の制御と、光ピックアップ１０４の対物レンズを保持するアクチュエータのフォーカシング方向及びトラッキング方向の制御は、それぞれサーボ制御部１０９により行われる。
すなわち、サーボ制御部１０９は、ＡＴＩＰ信号に基づいてスピンドルモータ１０３の制御を行ない、フォーカスエラー信号およびトラッキングエラー信号に基づいてアクチュエータの制御を行う。
また、サーボ制御部１０９は、信号処理部１２０から入力されるフォーカスエラー信号、トラッキングエラー信号、再生信号（ＲＦ信号）などに基づいて、後述する１つのフォーカスコイル１６（図３参照）および２つのトラッキングコイル１８（図３参照）に供給するための駆動信号（駆動電流）をそれぞれ生成するように構成されている。
また、レーザ制御部１２１は、光ピックアップ１０４におけるレーザ光源を制御するものである。
【００１２】
なお、ここでフォーカス方向とは光ピックアップ１０４の対物レンズ７（図２参照）の光軸方向をいい、タンジェンシャル方向とは前記フォーカス方向と直交する方向であって光ディスク１０２の円周のタンジェンシャル方向と平行する方向をいい、トラッキング方向とは前記フォーカス方向およびタンジェンシャル方向と直交する方向をいう。
【００１３】
図２は本発明の実施例１による光ピックアップの光学系を示す構成図である。
図２において、光ピックアップ１０４は、レーザ光源１、グレーティング素子２、偏光ビームスプリッタ３、コリメータレンズ４、１/４波長板５、収差補正素子６、対物レンズ７、マルチレンズ８、フォトダイオード９を備えている。
レーザ光源１の前方には、グレーティング素子２、偏光ビームスプリッタ３、コリメータレンズ４、１/４波長板５、収差補正素子６、対物レンズ７がこの順番で直線上に配置され、対物レンズ７の前方に光ディスク１０２が位置している。
偏光ビームスプリッタ３は、レーザ光源１に臨む第１面３Ａと、第１面３Ａに対向し対物レンズ６に臨む第２面３Ｂと、第１面３Ａおよび第２面３Ｂと直交する第３面３Ｃと、第３面３Ｃに対向する第４面３Ｄと、第１面３Ａ、第２面３Ｂに対してほぼ４５度をなす偏光ビームスプリッタ面３２とを有している。
光検出装置２０は、偏光ビームスプリッタ３の第３面３Ｃに臨むように配置されている。
反射ミラー８は、偏光ビームスプリッタ３の第３面３Ｄに臨むように配置される。
なお、トラッキングエラーの検出やフォーカスエラーの検出については従来公知の様々な方法を用いることができ。本例においては、トラッキングエラー信号をＤＰＰ（Ｄｉｆｆｅｒｅｎｔｉａｌ  Ｐｕｓｈ−Ｐｕｌｌ）法で検出し、フォーカスエラー信号を非点収差（Ａｓｔｉｇｍａ）法で検出するものとして説明する。
【００１４】
光ピックアップ１０４において、レーザ光源１から出射された直線偏光の光ビームは、グレーティング素子２を通過することで０次回折光による１つのメインビームと±１次回折光による２つのサイドビームとの３つの光ビームに分離され偏光ビームスプリッタ３に入射する。
偏光ビームスプリッタ３の第１面３Ａに入射した前記光ビームの一部は偏光ビームスプリッタ面３２、第２面３Ｂを通過して、コリメータレンズ４により平行光とされ、次いで収差補正素子６を通過して１／４波長板５で円偏光とされ、対物レンズ７を介して光ディスク１０２に照射され、偏光ビームスプリッタ３に入射した光ビームの残りは偏光ビームスプリッタ３の偏光ビームスプリッタ面３２で反射される。
光ディスク１０２に到達した光ビームは光ディスク１０２の記録面１０２Ａで反射され反射光ビームとして対物レンズ７、収差補正素子６を通過して、１／４波長板５で直線偏光に戻され偏光ビームスプリッタ３の第２面３Ｂに入射され、偏光ビームスプリッタ面３２で反射され第３面３Ｃからマルチレンズ８に入射されフォトダイオード９に導かれ、これによりフォトダイオード９から再生信号が生成される。
また、マルチレンズ８は、前記反射光ビームに対して、マルチレンズ８が有するシリンドリカルレンズの機能により非点収差を与えてフォトダイオード９に集光する。これによりフォトダイオード９から前記非点収差法によるフォーカスエラー信号が生成される。
また、マルチレンズ８は、前記反射光ビームのうち前記２つのサイドビームに相当する反射光ビームをフォトダイオード９上に集光する。これによりフォトダイオード９から前記差動プッシュプル法によるトラッキングエラー信号が生成される。
収差補正素子６は、対物レンズ７の特性のばらつきによって生じる光学的収差、あるいは、光ディスク１０２が多層ディスクであった場合に対物レンズ７から光ディスク１０２の各記録層１０２Ａまでの距離の違いによって生じる光学的収差を打ち消す機能を有する。
収差補正素子６は、従来公知の様々な構成のものを用いることができる。収差補正素子６として、例えば、前記光ビームの光路と直交する方向に延在する液晶層と、液晶層を挟む透明電極を有する液晶装置によって構成され、液晶層の光路と直交する方向の屈折率の分布を調整することによって前記光学収差を打ち消すように構成されたものが知られている（例えば特開２００３−６９０２号公報）。
【００１５】
次に光ピックアップ１０４について説明する。
図３は本発明の実施例１における光ピックアップ１０４の構成を示す一部を破断した斜視図、図４は主としてフォーカスコイル１６、トラッキングコイル１８、ヨークベース２２の構成を示す一部を破断した斜視図、図５は光ピックアップ１０４の要部を破断した斜視図、図６はフォーカスコイル１６の構成を示す分解斜視図、図７はトラッキングコイル１８の構成を示す分解斜視図である。
また、図３、図４において矢印Ｘはトラッキング方向、矢印Ｙはタンジェンシャル方向、矢印Ｚはフォーカス方向を示す。
【００１６】
図３に示すように、光ピックアップ１０４は、光ディスク装置１０１の筐体内で光ディスク１０２の半径方向に移動可能に設けられたマウント部材６０上に設けられている。
光ピックアップ１０４は、可動体１０と、支持ブロック１２と、可動体１０と支持ブロック１２とを連結する複数のサスペンションワイヤ１４と、フォーカスコイル１６と、トラッキングコイル１８などを備えており、本実施例では、可動体１０の支持機構が支持ブロック１２と複数のサスペンションワイヤ１４とで構成されている。
可動体１０は、対物レンズ７を保持するレンズホルダ２０と、フォーカスコイル１６およびトラッキングコイル１８を含んで構成されている。
レンズホルダ２０は、対物レンズ７の半径方向外側で対物レンズ７を囲むように設けられ、その中央部で対物レンズ７を保持している。
支持ブロック１２は、可動体１０に対してタンジェンシャル方向Ｙに間隔をおいて配置され、トラッキング方向Ｘに沿った長さと、フォーカス方向Ｚに沿った高さとを有している。
トラッキング方向Ｘに沿った支持ブロック１２の両側には、それぞれフォーカス方向Ｚに間隔をおいて２つのワイヤ支持部１２０２が設けられている。
可動体１０のトラッキング方向Ｘにおける両側と、支持ブロック３のトラッキング方向Ｘにおける両側とは、それぞれ２本のサスペンションワイヤ１４で連結されている。
２本のサスペンションワイヤ１４はフォーカス方向Ｚに間隔をおいて互いに平行に設けられ、支持ブロック１２に対してレンズホルダ２０をフォーカス方向Ｚとトラッキング方向Ｘとに移動可能に支持している。
これら各サスペンションワイヤ１４は導電性および弾性を有する材質で構成されている。
【００１７】
トラッキング方向Ｘの両側に２本ずつ設けられた合計４本のサスペンションワイヤ１４のうち、支持ブロック１２側の端部は、不図示の配線部材を介して前記サーボ制御部１０９に接続され、サーボ制御部１０９からフォーカス用の駆動信号とトラッキング用の駆動信号と収差補正素子６の駆動信号とが供給されるように構成されている。
本実施例では、４本のサスペンションワイヤ１４のうち、マウント部材６０側に位置する２本のサスペンションワイヤ１４にはフォーカス用の駆動信号が供給される。
４本のサスペンションワイヤ１４のうち、マウント部材６０の反対側に位置する２本のサスペンションワイヤ１４にはトラッキング用の駆動信号と収差補正素子用の駆動信号とが多重化された信号が供給される。
【００１８】
レンズホルダ２０のフォーカス方向Ｚにおけるマウント部材６０の箇所には矩形板状のヨークベース２２が設けられている。ヨークベース２２には対物レンズ７の光軸が通る部分に開口２２０２が設けられている。
図４に示すように、レンズホルダ２０を挟んだヨークベース２２のタンジェンシャル方向Ｙの両側にはそれぞれフォーカス用第１ヨーク片２２０４が立設され、各フォーカス用第１ヨーク片２２０４にはそれぞれタンジェンシャル方向Ｙに間隔をおいてフォーカス用第２ヨーク片２２０６（特許請求の範囲のフォーカス用ヨーク片に相当）が立設されている。
また、各フォーカス用第１ヨーク片２２０４がフォーカス用第２ヨーク片２２０６に臨む面には、それぞれフォーカス用マグネット２４が取着されている。
各フォーカス用マグネット２４は、タンジェンシャル方向Ｙに沿って第１ヨーク片２２０４から第２ヨーク片２２０６に向かって磁界を発生させるように着磁されている。
【００１９】
レンズホルダ２０を挟んだヨークベース２２のトラッキング方向Ｘの両側には、それぞれタンジェンシャル方向Ｙに間隔をおいて対向する一対のトラッキング用ヨーク片２２０８がそれぞれ立設され、一対のトラッキング用ヨーク片２２０８の先端間はタンジェンシャル方向Ｙに沿って帯状に延在するヨーク板２６（特許請求の範囲のトラッキング用ヨーク片に相当）で連結されている。
各一対のトラッキング用ヨーク片２２０８の間のヨークベース２２の箇所には、ヨーク板２４に臨むようにタンジェンシャル方向Ｙに沿って帯状に延在するトラッキング用マグネット２８がそれぞれ取着されている。
各トラッキング用マグネット２８は、フォーカス方向Ｚに沿ってトラッキング用マグネット２８からヨーク板２６に向かって磁界を発生させるように着磁されている。
【００２０】
フォーカスコイル１６は、電流が供給されることで可動体１０をフォーカス方向Ｚに移動させるものである。
図４、図５に示すように、本実施例では、矩形枠状に形成されたリジッドな絶縁基板１６０２と、この絶縁基板１６０２に導電材がコイル状に形成された１つの第１コイル部１６０４とからなる第１プリント基板１６０１が設けられ、第１プリント基板１６０１の第１コイル部１６０４によりフォーカスコイル１６が構成されている。
絶縁基板１６０２の中心には対物レンズ７の光軸が通る部分に矩形状の開口１６０６が設けられている。
本実施例では、図６に説明するように、薄い絶縁基板に導電材１６Ｂがコイル状に形成された矩形枠状の複数のプリント基板１６Ａがそれらの輪郭を合致させて厚さ方向に重ね合わされて一体的に接合されることで第１プリント基板１６０１が構成されている。
各プリント基板１６Ａの導電材１６Ｂはスルーホールなどによって電気的に接続されこれにより全体として１つの第１コイル部１６０４が形成されるようになっている。
したがって、本実施例では、各プリント基板１６Ａによって絶縁基板１６０２が構成され、コイル状に形成された各導電材１６Ｂによって第１コイル部１６０４が構成されることになる。
また、フォーカスコイル１６の絶縁基板１６０２の厚さ方向の一方の箇所で矩形枠状の内周寄りの箇所と外周寄りの箇所にフォーカスコイル１６に駆動信号を供給するための接続端子１６Ｃが設けられ、これら接続端子１６Ｃにはマウント部材６０側に位置する２本のサスペンションワイヤ１４を介してフォーカス用の駆動信号が供給される。
【００２１】
トラッキングコイル１８は、電流が供給されることで可動体１０をトラッキング方向Ｚに移動させるものである。
図４、図５に示すように、本実施例では、リジッドな絶縁基板１８０２と、この絶縁基板１８０２に導電材がコイル状に形成された第２コイル部１８０４とからなる第２プリント基板１８０１が設けられ、第２プリント基板１８０１の第２コイル部１８０４によりトラッキングコイル１８が構成されている。
絶縁基板１８０２は、２つの矩形部１８０２Ａと、これら２つの矩形部１８０２Ａの両側を連結する接続片１８０２Ｂで構成され、第２コイル部１８０４は各矩形部１８０２Ａに形成され、したがって、絶縁基板１８０２に２つの第２コイル部１８０４が設けられており、２つの矩形部１８０２Ａと両側の接続片１８０２Ｂとの間は第１プリント基板１６０１の開口１６０６と同形同大の矩形状の開口１８０６として形成されている。
本実施例では、図７に説明するように、絶縁基板１８０２と同じ輪郭の薄い絶縁基板と、この絶縁基板にコイル状に形成された導電材１８Ｂからなる２つのコイル部とを有する薄いプリント基板１８Ａがそれらの輪郭を合致させて厚さ方向に重ね合わされて一体的に接合されることで第２プリント基板１８０１が構成されている。
各プリント基板１８Ａの導電材１８Ｂはスルーホールなどによって電気的に接続されこれにより全体として２つの第２コイル部１８０４が形成されるようになっている。
したがって、本実施例では、各プリント基板１８Ａの絶縁基板により第２プリント基板１８０１の絶縁基板１８０２が構成され、各コイル部によりそれぞれ第２コイル部１８０４が構成されることになる。
また、各接続片１８０２Ｂの厚さ方向の一方に臨む箇所（表面）には、接続部１８０２Ｃが形成されこれら接続部１８０２Ｃに、復調回路３０を構成する電子部品３２が実装されている。また、各接続片１８０２Ｂの厚さ方向の一方に臨む箇所（表面）には、マウント部材６０の反対側に位置する２本のサスペンションワイヤ１４に電気的に接続される接続端子１８Ｃが設けられ、これら接続端子１８Ｃおよび接続部１８０２Ｃを介して前記多重化された信号が復調回路３０に供給される。
また、各矩形部１８０２Ａの厚さ方向の他方に臨む箇所には収差補正素子６に駆動信号を供給するための不図示の接続端子が設けられている。
復調回路３０は、前記接続端子１８Ｃを介して供給される前記多重化された信号からトラッキング用の駆動信号と収差補正素子用の駆動信号とを分離し、トラッキング用の駆動信号をトラッキングコイル１８に供給し、収差補正素子用の駆動信号を前記接続端子を介して収差補正素子６に供給する。
【００２２】
第１プリント基板１６０１および第２プリント基板１８０１は、それらの絶縁基板１６０２、１８０４がそれらの厚さ方向に重ね合わされた状態で熱圧着などによって接合されることで一体的に構成されている。
一体的に構成された第１プリント基板１６０１および第２プリント基板１８０１は、レンズホルダ２０に、それらの厚さ方向がフォーカス方向Ｚに向けられ、かつ、それらの第１コイル部１６０４の一部と第２コイル部１８０４の一部が突出するように取着されている。
上述したように、可動体１０のトラッキング方向Ｘにおける両側と、支持ブロック３のトラッキング方向Ｘにおける両側とは、それぞれ２本のサスペンションワイヤ１４で連結され合計４本のサスペンションワイヤ１４ており、本実施例では、４本のサスペンションＹ１４のうち２本のサスペンションワイヤ１４によりレンズホルダ２０のトラッキング方向Ｘにおける両側と、支持ブロック３のトラッキング方向Ｘにおける両側とが連結され、残りの２本のサスペンションワイヤ１４によりンズホルダ２０のトラッキング方向Ｘにおける両側におけるトラッキングコイル１８箇所と、支持ブロック３のトラッキング方向Ｘにおける両側とが連結されている。
そして、レンズホルダ２０は、第１プリント基板１６０１および第２プリント基板１８０１の開口１６０６，１８０６上に位置するように第２プリント基板１８０１の絶縁基板１８０２に取着されている。
また、第１コイル部１６０４の前記突出する部分は、フォーカス用第２ヨーク片２２０６とフォーカス用マグネット２４の間に配置されている。
また、第２コイル部１８０４の前記突出する部分は、ヨーク板２４とトラッキング用マグネット２８との間に配置されている。
したがって、第１コイル部１６０４に前記フォーカス用の駆動信号が供給されると、第１コイル部１６０４に発生した磁界と各フォーカス用マグネット２４の磁界との磁気相互作用によって生じるフォーカス方向Ｚの力がフォーカスコイル１６およびトラッキングコイル１８に作用して可動部１０がフォーカス方向Ｚに動かされる。
また、第２コイル部１８０４に前記トラッキング用の駆動信号が供給されると、第２コイル部１８０４に発生した磁界と各トラッキング用マグネット２８の磁界との磁気相互作用によって生じるトラッキング方向Ｘの力がフォーカスコイル１６およびトラッキングコイル１８に作用して可動部１０がトラッキング方向Ｘに動かされる。
【００２３】
収差補正素子６は、第１プリント基板１６０１および第２プリント基板１８０１の開口１６０６，１８０６の内側に配置されている。収差補正素子６は、収差補正素子６の中心と対物レンズ７の光軸とが一致した状態で、収差補正素子６のトラッキング方向の両側箇所がそれら両側箇所に臨む第１プリント基板１６０１および第２プリント基板１８０１の絶縁基板１６０２，１８０２の箇所に熱圧着または接着により取着されている。言い換えると、収差補正素子６は対物レンズ７に光が入射される方向における可動部１０の端部に取着されている。そして、収差補正素子６の駆動信号入力端子は、トラッキングコイル１８の前記接続端子に接続されている
【００２４】
本実施例の光ピックアップ１０４によれば、第１プリント基板１６０１および第２プリント基板１８０１の各絶縁基板１６０２，１８０２はレンズホルダ２０に、それらの厚さ方向がフォーカス方向Ｚに向けられ、かつ、それらの第１コイル部１６０４と第２コイル部１８０４の一部がそれぞれ突出するように取着されていることにより、可動部１０および光ピックアップ１０４がフォーカス方向Ｚに占めるスペースを最小限にすることができ、光ピックアップ１０４および光ディスク装置１０１のフォーカス方向Ｚの小型化を図る上で有利となる。
また、第１プリント基板１６０１および第２プリント基板１８０１の開口１６０６，１８０６を利用して対物レンズ７に光が入射される方向における可動部１０の端部に収差補正素子６を取着できるので、光ピックアップ１０４および光ディスク装置１０１のフォーカス方向Ｚの小型化を図る上で有利となる。
また、レンズホルダ２０に近接して収差補正素子６を配置できるので、対物レンズ７の光軸と収差補正素子６の光学的中心との位置決め調整を高精度にかつ容易に行う上で有利となる。例えば、第１プリント基板１６０１および第２プリント基板１８０１に収差補正素子６を取着した後、この収差補正素子６の光学的中心に対物レンズ７の光軸を合致させるようにレンズホルダ２０を位置決めしレンズホルダ２０を第２プリント基板１８０１に接着などにより固定することができる。
【００２５】
また、本実施例では、第１プリント基板１６０１および第２プリント基板１８０１は、それらの絶縁基板１６０２、１８０４がそれらの厚さ方向に重ね合わされた状態で熱圧着などによって接合されることで一体的に構成したので、フォーカスコイル１６およびトラッキングコイル１８を取着するコイルボビンが不要となり可動部２０の軽量化を図ることができる。このような可動部２０の軽量化を図ることで、光ピックアップ１０４の電圧感度（アクチュエータ感度）を確保することができるため、広いサーボ帯域を実現する上で有利であり、また、フォーカス用駆動信号およびトラッキング用駆動信号の電力を低減する上で有利となる。
また、例えば、フォーカスコイル１６およびトラッキングコイル１８と樹脂材料からなるコイルボビンとを金型を用いて一体的に成形する光ピックアップでは、金型や成形にまつわる製造コストがかかるのに対して、本実施例では、フォーカスコイル１６およびトラッキングコイル１８は、第１プリント基板１６０１および第２プリント基板１８０１が熱圧着などによって接合されることで一体的に構成したので製造コストを削減する上で有利である。
また、第１プリント基板１６０１および第２プリント基板１８０１を熱圧着するのに先だって、予め接続部１８０２Ｃに電子部品３２を搭載しておけば、前記熱圧着と同時に、接続部１８０２Ｃに対して電子部品３２を半田付けにより実装することができ、製造コストを削減する上で有利となる。
また、第１プリント基板１６０１あるいは第２プリント基板１８０１に、サスペンションワイヤ１４と電気的に接続するための接続端子、収差補正素子６と電気的に接続するための接続端子、電子部品３２を実装する接続部１８０２Ｃを設けたので、可動部１０に対するサスペンションワイヤ１４、収差補正素子６、電子部品３２の電気的な接続や実装が容易にでき製造コストを削減する上で有利となる。
また、可動部１０を構成する、第１プリント基板１６０１および第２プリント基板１８０１やこれら第１プリント基板１６０１および第２プリント基板１８０１に実装される電子部品３２はそれらの寸法や重量の管理が比較的容易であるため、可動部１０の寸法や重量のばらつきを抑制することができ、光ピックアップ１０４の電圧感度やサーボ帯域のばらつきを抑制する上で有利となる。
【００２６】
なお、本実施例では、可動部１０の端部に収差補正素子６を取着した場合について説明したが、収差補正素子６の代わりに様々な光学素子、あるいは、電気光学素子などを可動部１０の端部に取着してもよく、その場合においても本実施例と同様に光ピックアップ１０４および光ディスク装置１０１のフォーカス方向Ｚの小型化を図る上で有利となることは無論である。
【図面の簡単な説明】
【００２７】
【図１】本発明の実施例１における光ピックアップを組み込んだ光ディスク装置の構成を示すブロック図である。
【図２】本発明の実施例１による光ピックアップの光学系を示す構成図である。
【図３】本発明の実施例１における光ピックアップ１０４の構成を示す一部を破断した斜視図である。
【図４】主としてフォーカスコイル１６、トラッキングコイル１８、ヨークベース２２の構成を示す一部を破断した斜視図である。
【図５】光ピックアップ１０４の要部を破断した斜視図である。
【図６】フォーカスコイル１６の構成を示す分解斜視図である。
【図７】トラッキングコイル１８の構成を示す分解斜視図である。
【符号の説明】
【００２８】
７……対物レンズ、１０……可動体、１２……支持ブロック、１４……サスペンションワイヤ、１６……フォーカスコイル、１６０１……第１プリント基板、１６０２……絶縁基板、１６０４……第１コイル部、１８……トラッキングコイル、１８０１……第２プリント基板、１８０２……絶縁基板、１８０４……第２コイル部、２０……レンズホルダ、１０１……光ディスク装置、１０２……光ディスク、１０４……光ピックアップ。
【図１】
2005346878.tif 000003
【図２】
2005346878.tif 000004
【図３】
2005346878.tif 000005
【図４】
2005346878.tif 000006
【図５】
2005346878.tif 000007
【図６】
2005346878.tif 000008
【図７】
2005346878.tif 000009